(57)【特許請求の範囲】
【請求項１】
それぞれ縦向き姿勢とされて上下に列設され、地盤内に埋設される板形状の上、下排水材と、これら上、下排水材の厚さ方向の左右各側方近傍にそれぞれ配設されて地盤に埋設される左右一対の柱材とを備え、上記下排水材の各側方に位置する左右柱材の各上端部をそれぞれ上記下排水材の上端縁部よりも上方に位置させ、
上記下排水材の上端縁部に掛止され、上記上排水材の下端縁部を嵌入させるよう上方に向かって開口する凹部が形成された連結具を備え、
上記上排水材の各側面からそれぞれ下方に向かって延び、上記下排水材の少なくとも上端縁部の各側面を覆う通水性カバーシートを設け、
上記下排水材の上端縁部に掛止され、この下排水材の上端よりも低位置で上記左右柱材の上下方向の各中途部をそれぞれ係止させる係止具を備えたことを特徴とする地盤排水構造。
【請求項２】
それぞれ縦向き姿勢とされて上下に列設され、地盤内に埋設される板形状の上、下排水材と、これら上、下排水材の厚さ方向の左右各側方近傍にそれぞれ配設されて地盤に埋設される左右一対の柱材とを備え、上記下排水材の各側方に位置する左右柱材の各上端部をそれぞれ上記下排水材の上端縁部よりも上方に位置させた地盤排水構造の施工方法であって、地盤の地盤基部側の上面から盛土の下部側と上部側とを順次積み上げると共に、上記下排水材と上排水材とを順次積み上げながら上記盛土に埋設させるに際し、
まず、上記地盤基部側の上面に上記下排水材を立設すると共に、この下排水材の各側方に上記左右柱材を立設し、上記地盤基部側の上面に立設させられた上記下排水材と左右柱材との組み合わせ体の下部側を上記盛土の下部側に埋設して自立させ、
次に、上記左右柱材の各上端部側の間に上記上排水材の下端縁部を挿入し、この上排水材を上記下排水材の上端縁部の上面に立設するようにし、
上記組み合わせ体の左右柱材の各上端部側同士を、少なくとも上記組み合わせ体の下部側を盛土に埋設するまでの間、連結するようにしたことを特徴とする地盤排水構造の施工方法。
【発明の詳細な説明】
【技術分野】
【０００１】
本発明は、盛土などの地盤内に、その外部から浸入してきた水を、この地盤の外部に円滑に排水させるようにするための地盤排水構造、およびその施工方法に関するものである。
【背景技術】
【０００２】
地盤の含有水分が多くなると、この地盤を構成している土砂が流動化してその強度が低下し、地盤が不安定になるおそれがある。
【０００３】
そこで、従来、それぞれ縦向き姿勢とされて上下に列設される板形状の上、下排水材を擁壁の裏面に配設した面状排水材が提案されており、上記排水材には、従来、下記特許文献１に示されるものがある。
【０００４】
そして、雨天時など、上記擁壁の裏面にその外部から水が浸入してきた場合には、この水は上記上、下排水材の内部を順次流下することにより外部に排水される。これにより、上記擁壁は、所定強度に保持されるようになっている。
【０００５】
ここで、上記上、下排水材が埋設される擁壁の裏面構造を施工する場合、次のような施工方法が考えられる。
【０００６】
即ち、まず、擁壁裏面の地盤基部側の上面に下排水材が縦向き姿勢を保つよう、擁壁裏面に配設し、この状態で、上記下排水材の擁壁と反対側の面を盛土により埋設する。
【０００７】
次に、作業者が、上記下排水材の上端縁部の上面に対し上記上排水材の下端縁部を、これら排水材の厚さ方向で位置決めして載置し、この載置状態を保つと共に、この上排水材が縦向き姿勢を保つよう、擁壁裏面に配設し、この状態で、上記上排水材の擁壁と反対側の面を盛土により埋設する。
【０００８】
次に、上記上排水材を前記下排水材と見なして、この下排水材の上端縁部の上面に他の上排水材を立設し、以下、前記したのと同様にして、各排水材を擁壁裏面と盛土の間に順次埋設すれば、上記擁壁裏面の面状排水材の施工作業が終了する。
【先行技術文献】
【特許文献】
【０００９】
【特許文献１】特開２００６−１６８７５号公報
【発明の概要】
【発明が解決しようとする課題】
【００１０】
ところで、前記従来の技術における排水材の施工方法とは異なり、排水材を擁壁裏面ではなく、盛土内部に埋設しようとすれば、次のような問題点がある。
【００１１】
即ち、第１に、上記上、下排水材を擁壁裏面でなく、各排水材の両面に盛土しようとした場合、すなわち、盛土内部に埋設する時、作業者は、擁壁が存在しないため、これら上、下排水材が縦向き姿勢を保つようこれら上、下排水材をそれぞれ把持しておくことが求められる。しかし、このような作業は煩雑である。
【００１２】
また、第２に、上記下排水材を盛土に埋設した後には、擁壁が存在しないため、この下排水材の上端縁部の上面の所定位置に上排水材の下端縁部を位置決めして載置させるが、このような位置決め作業は煩雑である。
【００１３】
また、第３に、上記上排水材を盛土に埋設する場合には、盛土に埋設した下排水材の上端縁部の上面への上排水材の載置状態を保ったままで、この上排水材を盛土に埋設するが、この際、上排水材は、その両側方から盛土による土圧が与えられる。このため、上記下排水材の上端縁部の上面に対する上排水材の下端縁部の載置状態が上記土圧によって不意に解除されないよう、上記上排水材を把持しておくことが要求される。しかし、このような作業も極めて煩雑である。
【課題を解決するための手段】
【００１４】
本発明は、上記のような事情に注目してなされたもので、本発明の目的は、それぞれ縦向き姿勢とされて上下に列設される上、下排水材が埋設される地盤排水構造の施工作業がより容易にできるようにすることである。
【００１５】
請求項１の発明は、それぞれ縦向き姿勢とされて上下に列設され、地盤１内に埋設される板形状の上、下排水材８（Ｕ），８（Ｌ）と、これら上、下排水材８（Ｕ），８（Ｌ）の厚さ方向の左右各側方近傍にそれぞれ配設されて地盤１に埋設される左右一対の柱材１０，１０とを備え、上記下排水材８（Ｌ）の各側方に位置する左右柱材１０，１０の各上端部をそれぞれ上記下排水材８（Ｌ）の上端縁部よりも上方に位置させたことを特徴とする地盤排水構造である。
【００１６】
また、上記発明は、上記下排水材８（Ｌ）の上端縁部に掛止され、上記上排水材８（Ｕ）の下端縁部を嵌入させるよう上方に向かって開口する凹部２４が形成された連結具９を備えている。
【００１７】
また、上記発明は、上記上排水材８（Ｕ）の各側面からそれぞれ下方に向かって延び、上記下排水材８（Ｌ）の少なくとも上端縁部の各側面を覆う通水性カバーシート１９を設けている。
【００１８】
また、上記発明は、図７に例示するように、上記下排水材８（Ｌ）の上端縁部に掛止され、この下排水材８（Ｌ）の上端よりも低位置で上記左右柱材１０，１０の上下方向の各中途部をそれぞれ係止させる係止具３５を備えている。
【００１９】
請求項２の発明は、それぞれ縦向き姿勢とされて上下に列設され、地盤１内に埋設される板形状の上、下排水材８（Ｕ），８（Ｌ）と、これら上、下排水材８（Ｕ），８（Ｌ）の厚さ方向の左右各側方近傍にそれぞれ配設されて地盤１に埋設される左右一対の柱材１０，１０とを備え、上記下排水材８（Ｌ）の各側方に位置する左右柱材１０，１０の各上端部をそれぞれ上記下排水材８（Ｌ）の上端縁部よりも上方に位置させた地盤排水構造の施工方法であって、地盤１の地盤基部２側の上面から盛土３の下部側３Ｌと上部側３Ｕとを順次積み上げると共に、上記下排水材８（Ｌ）と上排水材８（Ｕ）とを順次積み上げながら上記盛土３に埋設させるに際し、
まず、上記地盤基部２側の上面に上記下排水材８（Ｌ）を立設すると共に、この下排水材８（Ｌ）の各側方に上記左右柱材１０，１０を立設し、上記地盤基部２側の上面に立設させられた上記下排水材８（Ｌ）と左右柱材１０，１０との組み合わせ体３９の下部側を上記盛土３の下部側３Ｌに埋設して自立させ、
次に、上記左右柱材１０，１０の各上端部側の間に上記上排水材８（Ｕ）の下端縁部を挿入し、この上排水材８（Ｕ）を上記下排水材８（Ｌ）の上端縁部の上面に立設するようにしたことを特徴とする地盤排水構造の施工方法である。
【００２０】
また、上記請求項２の発明は、上記組み合わせ体３９の左右柱材１０，１０の各上端部側同士を、少なくとも上記組み合わせ体３９の下部側を盛土３に埋設するまでの間、連結するようにしている。
【００２１】
なお、この項において、上記各用語に付記した符号や図面番号は、本発明の技術的範囲を後述の「実施例」の項や図面の内容に限定解釈するものではない。
【発明の効果】
【００２２】
本発明による効果は、次の如くである。
【００２３】
請求項１の発明は、それぞれ縦向き姿勢とされて上下に列設され、地盤内に埋設される板形状の上、下排水材と、これら上、下排水材の厚さ方向の左右各側方近傍にそれぞれ配設されて地盤に埋設される左右一対の柱材とを備え、上記下排水材の各側方に位置する左右柱材の各上端部をそれぞれ上記下排水材の上端縁部よりも上方に位置させている。
【００２４】
このため、上記地盤排水構造を施工する場合には、まず、下排水材と、この下排水材の各側方の左右柱材との組み合わせ体の下部側を盛土に埋設して、自立させる。次に、この自立状態にした上記組み合わせ体の下排水材の上端縁部の上面に上排水材の下端縁部を載置するが、この場合、上記組み合わせ体の左右柱材の各上端部の間に上記上排水材の下端縁部を挿入する。すると、この上排水材の下端縁部は、上記左右柱材の各上端部側に挟まれることにより案内されて、上記下排水材の上端縁部の上面における排水材の幅方向での所定位置に位置決めされ、載置される。
【００２５】
よって、上記下排水材の上端縁部の上面の所定位置に対する上排水材の載置による立設が容易かつ迅速に達成されることから、上記地盤排水構造の施工作業が容易にできる。
【００２６】
また、上記したように盛土に埋設した下排水材の上部側と上排水材の下部側とを更に盛土に埋設するとき、上記下排水材の上端縁部の上面の所定位置から上排水材の下端縁部が上記盛土の土圧により位置ずれすることは、上記上排水材の下端縁部が上記左右柱材の各上端部側の挟み付けによって防止される。よって、この点でも、地盤排水構造の施工作業が容易にできる。
【００２７】
また、上記下排水材の上端縁部に掛止され、上記上排水材の下端縁部を嵌入させるよう上方に向かって開口する凹部が形成された連結具を備えている。
【００２８】
このため、上記下排水材の上端縁部の上面に上排水材の下端縁部を載置するとき、この上排水材の下端縁部を上記連結具の凹部に嵌入させれば、上記下排水材の上端縁部の上面における排水材の厚さ方向での所定位置に対し、上記上排水材の下端縁部が、より精度よく位置決めされて載置される。
【００２９】
よって、上記下排水材の上端縁部の上面の所定位置に対する上排水材の立設が、より容易かつ迅速に達成されることから、上記地盤排水構造の施工作業が、より容易にできる。
【００３０】
また、上記上排水材の各側面からそれぞれ下方に向かって延び、上記下排水材の少なくとも上端縁部の各側面を覆う通水性カバーシートを設けている。
【００３１】
ここで、上記下排水材の上部側と、この下排水材の上端縁部の上面に立設された上記上排水材の下部側とを盛土に埋設しようとするときや、埋設後には、上記下排水材の上端縁部と上記上排水材の下端縁部との間に盛土の土砂が入り込んで目詰りが発生するおそれがある。
【００３２】
しかし、上記上、下排水材の間への土砂の入り込みは、上記各カバーシートによって防止されて、目詰りの発生が防止される。よって、上記各排水材による地盤の排水性が良好に維持される。
【００３３】
また、上記下排水材の上端縁部に掛止され、この下排水材の上端よりも低位置で上記左右柱材の上下方向の各中途部をそれぞれ係止させる係止具を備えている。
【００３４】
このため、上記係止具により、上記左右柱材は上記下排水材を挟むようにして互いに連結されることから、これら下排水材と左右柱材との互いの連結が強固となる。よって、上記下排水材と左右柱材との組み合わせ体の下部側を盛土に埋設するとき、この埋設は安定してすることができ、その分、上記地盤排水構造の施工作業が、更に容易にできる。
【００３５】
そして、その後、前記したように下排水材の上端縁部の上面に上排水材を立設し、この上排水材から延出した左右一対のカバーシートにより上記下排水材の上端縁部を左右各側方から覆うとき、このような各カバーシートの被覆動作に対し上記係止具が邪魔になることは防止される。よって、上記左右柱材の各上端部から上記係止具を離脱させる作業はしないで済むことから、上記地盤排水構造の施工作業は更に容易にできる。
【００３６】
請求項２の発明は、それぞれ縦向き姿勢とされて上下に列設され、地盤内に埋設される板形状の上、下排水材と、これら上、下排水材の厚さ方向の左右各側方近傍にそれぞれ配設されて地盤に埋設される左右一対の柱材とを備え、上記下排水材の各側方に位置する左右柱材の各上端部をそれぞれ上記下排水材の上端縁部よりも上方に位置させた地盤排水構造の施工方法であって、地盤の地盤基部側の上面から盛土の下部側と上部側とを順次積み上げると共に、上記下排水材と上排水材とを順次積み上げながら上記盛土に埋設させるに際し、
まず、上記地盤基部側の上面に上記下排水材を立設すると共に、この下排水材の各側方に上記左右柱材を立設し、上記地盤基部側の上面に立設させられた上記下排水材と左右柱材との組み合わせ体の下部側を上記盛土の下部側に埋設して自立させ、
次に、上記左右柱材の各上端部側の間に上記上排水材の下端縁部を挿入し、この上排水材を上記下排水材の上端縁部の上面に立設するようにしている。
【００３７】
このため、上記地盤排水構造を施工する場合には、まず、下排水材と、この下排水材の各側方の左右柱材との組み合わせ体の下部側を盛土に埋設して、自立させる。次に、この自立状態にした上記組み合わせ体の下排水材の上端縁部の上面に上排水材の下端縁部を載置するが、この場合、上記組み合わせ体の左右柱材の各上端部の間に上記上排水材の下端縁部を挿入する。すると、この上排水材の下端縁部は、上記左右柱材の各上端部側に挟まれることにより案内されて、上記下排水材の上端縁部の上面における排水材の幅方向での所定位置に位置決めされ、載置される。
【００３８】
よって、上記下排水材の上端縁部の上面の所定位置に対する上排水材の載置による立設が容易かつ迅速に達成されることから、上記地盤排水構造の施工作業が容易にできる。
【００３９】
また、上記したように盛土に埋設した下排水材の上部側と上排水材の下部側とを更に盛土に埋設するとき、上記下排水材の上端縁部の上面の所定位置から上排水材の下端縁部が上記盛土の土圧により位置ずれすることは、上記上排水材の下端縁部が上記左右柱材の各上端部側の挟み付けによって防止される。よって、この点でも、地盤排水構造の施工作業が容易にできる。
【００４０】
また、上記組み合わせ体の左右柱材の各上端部側同士を、少なくとも上記組み合わせ体の下部側を盛土に埋設するまでの間、連結するようにしている。
【００４１】
このため、上記組み合わせ体において、少なくとも上記組み合わせ体の下部側を盛土に埋設するまでの間、上記下排水材は互いに連結された左右柱材に挟まれることから、盛土の作業中においても下排水材が左右柱材の間に挟持される。よって、この組み合わせ体の下部側を盛土に埋設するとき、この埋設は安定してすることができ、その分、上記地盤排水構造の施工作業が、より容易にできる。また、特に盛土の作業中に上記柱材の周辺を締め固めする場合、左右柱材の上端部側が互いに離れようとする場合があるが、このような柱材の挙動を防止することができる。さらに、上記連結を、恒久的に連結される構造にすることも可能であり、この場合は、上記上排水材と下排水材のずれ防止効果を高めることが可能となる。
【図面の簡単な説明】
【００４２】
【図１】参考例１を示し、部分斜視図である。
【図２】参考例１を示し、全体側面断面図である。
【図３】参考例１を示し、図２の部分拡大図である。
【図４】参考例１を示し、図３のIV−IV線矢視図である。
【図５】参考例１を示し、図１で示したものの展開図である。
【図６】参考例２を示し、図５に相当する図である。
【図７】実施例１を示し、（ａ）は図４に相当する図で、（ｂ）は（ａ）の側面図である。
【図８】実施例２を示し、（ａ）〜（ｃ）は、連結具のそれぞれ変形例を示す図である。
【発明を実施するための形態】
【００４３】
本発明の地盤排水構造に関し、それぞれ縦向き姿勢とされて上下に列設される上、下排水材が埋設される地盤排水構造の施工作業がより容易にできるようにする、という目的を実現するため、本発明を実施するための形態は、次の如くである。
【００４４】
即ち、地盤排水構造は、それぞれ縦向き姿勢とされて上下に列設され、地盤内に埋設される板形状の上、下排水材と、これら上、下排水材の厚さ方向の左右各側方近傍にそれぞれ配設されて地盤に埋設される左右一対の柱材とを備える。上記下排水材の各側方に位置する左右柱材の各上端部は、それぞれ上記下排水材の上端縁部よりも上方に位置している。
【００４５】
また、上記地盤排水構造は、上記下排水材の上端縁部に掛止され、上記上排水材の下端縁部を嵌入させるよう上方に向かって開口する凹部が形成された連結具を備える。上記上排水材の各側面からそれぞれ下方に向かって延び、上記下排水材の少なくとも上端縁部の各側面を覆う通水性カバーシートが設けられる。上記下排水材の上端縁部に掛止され、この下排水材の上端よりも低位置で上記左右柱材の上下方向の各中途部をそれぞれ係止させる係止具を備える。
（参考例１）
【００４６】
本発明をより詳細に説明するために、まず、本発明についての参考例１を添付の図１〜５に従って説明する。
【００４７】
図２において、符号１は地盤であって、この地盤１は、その底部に位置する地盤基部２と、この地盤基部２の水平に延びる上面に敷設される盛土３と、上下方向で所定の間隔Ｐをあけてこの盛土３に埋設され、それぞれ水平方向に延びる複数枚の地盤補強材４とを備えている。なお、この地盤補強材４は設けなくてもよい。
【００４８】
上記地盤基部２は、地山や盛土であり、その地面は傾斜していてもよい。また、地盤補強材４は、ジオグリッドやジオテキスタイルといわれるもので、多孔性かつ可撓性シートに形成されたもので、上記盛土３を補強して、その強度を向上させる。
【００４９】
以下、上記地盤１についての地盤排水構造につき、説明する。
【００５０】
上記地盤基部２の上面と盛土３の下面との間に水平方向に延びる排水基材７が介設され、この排水基材７の水平方向（面方向）の一端部は、地盤１の外部に連通させられている。また、それぞれ縦向き姿勢とされて上下に連続的に列設され、盛土３に埋設される複数枚の板形状の排水材８が設けられている。これら各排水材８は水平方向に長く延びる長尺体であるが、所定長さの長方形状であってもよい。上記排水基材７は排水材８と同構成のものであるが、砂れきや人工的なブロックなどで構成してもよい。
【００５１】
上記各排水材８のうち、上下方向で互いに隣り合う上、下排水材８（Ｕ），８（Ｌ）を互いに連結可能とする連結具９が設けられる。また、上記排水材８の厚さ方向の左右側方近傍には、上下方向に延びて上記地盤１に埋設される左右一対の柱材１０，１０が配設されている。上記連結具９と左右柱材１０，１０とは、上記各排水材８の長手方向（水平方向）に向かって交互に複数設けられる。
【００５２】
図１，３〜５において、上記各排水材８は、縦向きで水平方向に長く延びて帯板形状をなす通水性排水材本体１３と、この排水材本体１３の左右各側面をそれぞれ全体的に覆う通水性の左右一対の排水シート１４，１４とを備えている。また、上記各排水材８は、上記排水材本体１３と各排水シート１４との長手方向の各端縁部を一体的に覆う端縁部保護材１７と、この端縁部保護材１７を上記各排水シート１４にそれぞれ連結する接着テープ１８とを備えている。
【００５３】
特に、上記端縁部保護材１７を設けることによって、上記各排水材８の長手方向の各両端部（各排水材８を長手方向に別の排水材８を連続して設ける場合の端部を含む）からこの各排水材８内への土砂の流入が防止できる。さらに、最上層の排水材８の上端部に上記端縁部保護材１７を設ければ、最上層の排水材８の上端部からこの排水材８内への土砂の流入も防止できる。
【００５４】
上記排水材本体１３は、高密度ポリエチレン（ＨＤＰＥ）やポリプロピレン（ＰＰ）などの樹脂製であり、可撓性を有している。また、上記排水材本体１３は、各排水材８にその外部から与えられる土圧などの大きい外力に対抗できるよう十分の強度と剛性とを有している。
【００５５】
上記排水シート１４と端縁部保護材１７とはポリプロピレンなどの樹脂製であって、長繊維の不織布製であり、十分な引張強度を備えている。上記接着テープ１８は、上記端縁部保護材１７を各排水シート１４の端縁部に粘着性接着剤により接着させる。
【００５６】
なお、上記端縁部保護材１７は、上記排水材本体１３と各排水シート１４との各上端縁部や各下端縁部を一体的に覆うようにしてよい。また、上記各排水シート１４と端縁部保護材１７とを一体的に形成して、上記排水材本体１３を内包する袋形状にしてもよい。
【００５７】
上記排水材８の各排水シート１４の下部側の外面から上記排水材８の下端縁部よりも下方にまで延出する通水性の左右一対のカバーシート１９，１９が設けられる。これらカバーシート１９は、前記排水シート１４や端縁部保護材１７と同材質とされている。なお、上記各カバーシート１９は、前記排水シート１４から一体的に延長されたものであってもよい。
【００５８】
前記連結具９は、上記排水材８の厚さ方向で互いに離れて対面する左右一対の側板２２，２２と、これら各側板２２の上下方向の中途部同士を連結する連結板２３とを備えている。上記各側板２２の上部と連結板２３とにより、上方に向かって開口する溝形状の上側凹部２４が形成され、上記各側板２２の下部と連結板２３とにより、下方に向かって開口する溝形状の下側凹部２５が形成されている。上記連結具９は樹脂製であってもよく、板金製など金属製であってもよい。また、上記連結具９は、上記上排水材８（Ｕ）と下排水材８（Ｌ）の間を連続して連結できるよう長尺であってもよく、このようにすれば、土圧による上記上排水材８（Ｕ）と下排水材８（Ｌ）のずれ防止効果をさらに高めることが可能となる。
【００５９】
前記下排水材８（Ｌ）の上端縁部の長手方向の一部分に上記連結具９の下側凹部２５が、がたつきが生じないよう嵌合して、上記下排水材８（Ｌ）の上端縁部の長手方向の一部分に上記連結具９が掛止される。一方、この連結具９の上側凹部２４には、上記上排水材８（Ｕ）の下端縁部の長手方向の一部分が、がたつきが生じないよう嵌入されている。そして、上記連結具９により、上記上、下排水材８（Ｕ），８（Ｌ）が互いに連結されている。
【００６０】
前記各柱材１０は、上記各排水材８毎にその側方近傍に個別に設けられる断面円形の棒材２８と、上記上、下排水材８（Ｕ），８（Ｌ）の各側方に設けられた上、下棒材２８，２８の対向端部同士を連結する連結材２９とを備えている。この場合、各排水材８の各側方に位置する左右棒材２８，２８の各上端部は、それぞれ上記排水材８の上端縁部よりも上方に位置している。
【００６１】
上記連結材２９は、軸心が縦向きのパイプ材３１と、このパイプ材３１の上下方向の中途部に設けられ、上記パイプ材３１の上、下内孔を仕切る仕切体３２とを備えている。そして、上記上、下棒材２８，２８の対向端部と上記パイプ材３１の上、下内孔とががたつきなく嵌合することにより、上記上、下棒材２８，２８が互いに連結される。上記連結材２９は樹脂製であってもよく、金属製であってもよく、また、鉄筋材を屈曲させることにより形成してもよい。また、上記連結材２９は、上、下棒材２８，２８の対向端部側同士を結合させる接着テープや針金材であってもよい。
【００６２】
なお、上記連結具９や柱材１０については、上記排水材８のうち、上下方向で互いに隣り合う上、下排水材８（Ｕ），８（Ｌ）の関連構成として図に従い説明したが、これら連結具９や柱材１０の構成は、上下方向で互いに隣り合う他の上、下排水材８，８に関連するものと同様の構成である。
【００６３】
そして、雨天時など、上記地盤１内に、その外部から水Ｗが浸入してきた場合には、この水Ｗは、上記各排水材８の内部を順次流下して、上記排水基材７に流入する。次に、上記水Ｗは上記排水基材７内を流動した後、その一端部から地盤１の外部に排水される。これにより、上記地盤１は、所望の含水量に維持されて、所定強度に保持される。
【００６４】
主に、図５により、上記した地盤排水構造の施工方法につき、説明する。
【００６５】
まず、地盤基部２の上面に、上記排水基材７を介し下排水材８（Ｌ）を縦向き姿勢で設置（立設）する。一方、この下排水材８（Ｌ）の左右側方近傍に上記左右柱材１０，１０の各棒材２８を配置し、これら左右柱材１０の各棒材２８の下端部を上記排水基材７を貫通させて地盤基部２に突き刺して立設する。また、この際、上記下排水材８（Ｌ）の上端縁部よりも上方に位置する上記左右柱材１０，１０の各棒材２８の各上端部同士を係止具３５による係止により仮連結させる。また、上記左右柱材１０，１０の各棒材２８の長手方向の中途部を上記下排水材８（Ｌ）の側面に接着テープ３６により接着する。すると、上記下排水材８（Ｌ）と左右柱材１０，１０の各棒材２８とが上記地盤基部２の上面に立設させられる。
【００６６】
なお、上記各棒材２８の下端部を上記排水基材７に貫通させることによってできる孔から土砂が流入することを防止するため、上記排水基材７の上記各棒材２８の周囲に沿って織布や不織布等を設置し、上記孔をカバーすることが好ましい。
【００６７】
そこで、上記地盤基部２の上面に立設させられた上記下排水材８（Ｌ）と左右柱材１０，１０との組み合わせ体３９の下部側を盛土３の下部側３Ｌに埋設して、上記組み合わせ体３９を上記盛土３の下部側３Ｌ上に自立させる。また、その一方、上記下排水材８（Ｌ）の上端縁部の長手方向の一部分に上記連結具９を掛止させる。
【００６８】
このため、上記組み合わせ体３９において、上記係止具３５と接着テープ３６とにより、上記下排水材８（Ｌ）は互いに連結された左右柱材１０，１０に挟まれて、上記下排水材８（Ｌ）は、上記左右柱材１０，１０の間に挟持される。よって、この組み合わせ体３９の下部側を盛土３の下部側３Ｌに埋設するとき、この埋設は安定してすることができ、その分、上記地盤排水構造の施工作業が、より容易にできる。
【００６９】
次に、上記下排水材８（Ｌ）の上端縁部の上面における排水材８の厚さ方向での所定位置に、上記上排水材８（Ｕ）の下端縁部を載置させて、この上排水材８（Ｕ）を上記下排水材８（Ｌ）上に立設させる。この場合、上記左右柱材１０，１０の各棒材２８の上端部側の間にその上方から上排水材８（Ｕ）の下端縁部を挿入する。すると、この上排水材８（Ｕ）の下端縁部は、上記左右柱材１０，１０の各棒材２８の上端部側に挟まれることにより案内されて、上記下排水材８（Ｌ）の上端縁部の上面の所定位置に位置決めされ、載置される。
【００７０】
よって、上記下排水材８（Ｌ）の上端縁部の上面の所定位置に対する上排水材８（Ｕ）の載置による立設が容易かつ迅速に達成されることから、上記地盤排水構造の施工作業が容易にできる。
【００７１】
また、上記したように、下排水材８（Ｌ）の上端縁部の上面に上排水材８（Ｕ）の下端縁部を載置するとき、この上排水材８（Ｕ）の下端縁部の長手方向の一部分を上記連結具９の上側凹部２４に嵌入させる。すると、上記下排水材８（Ｌ）の上端縁部の上面の所定位置に対し、上記上排水材８（Ｕ）の下端縁部は、より精度よく位置決めされて載置される。
【００７２】
よって、上記下排水材８（Ｌ）の上端縁部の上面の所定位置に対する上排水材８（Ｕ）の立設が、より容易かつ迅速に達成されることから、上記地盤排水構造の施工作業が、より容易にできる。
【００７３】
また、上記したように、下排水材８（Ｌ）の上端縁部の上面に上排水材８（Ｕ）を立設したとき、この上排水材８（Ｕ）の下部側が、上記左右柱材１０，１０の各棒材２８の上端部側で挟まれる作用と、上記連結具９の上側凹部２４に嵌入させられる作用との少なくともいずれか一方の作用により、上記上排水材８（Ｕ）は下排水材８（Ｌ）上に自立させられるようになっている。
【００７４】
よって、その後、作業者が上記上排水材８（Ｕ）を把持して、この上排水材８（Ｕ）を上記下排水材８（Ｌ）上で縦向き姿勢に保つ、という作業を不要にできることから、上記地盤排水構造の施工作業は更に容易にできる。
【００７５】
また、上記したように、下排水材８（Ｌ）の上端縁部の上面に上排水材８（Ｕ）を立設したとき、この上排水材８（Ｕ）から延出した左右一対のカバーシート１９，１９が、上記下排水材８（Ｌ）の上端縁部と連結具９とを、それぞれ左右側方から覆うこととされる。
【００７６】
ここで、上記したように、下排水材８（Ｌ）の上端縁部の上面に上排水材８（Ｕ）を立設するとき、または、各カバーシート１９が上記下排水材８（Ｌ）の上端縁部と連結具９とをその側方から覆うとき、このような上排水材８（Ｕ）の立設作業や、各カバーシート１９の被覆動作に対し前記係止具３５は邪魔になる。そこで、上記左右柱材１０，１０の各棒材２８の上端部から上記係止具３５を離脱させて、上記左右柱材１０，１０の各棒材２８の上端部同士の前記仮連結を解除する。
【００７７】
また、上記したように、下排水材８（Ｌ）の上端縁部の上面に上排水材８（Ｕ）を立設する一方で、この上排水材８（Ｕ）の側方近傍に左右柱材１０，１０の他の各棒材２８を配置し、これら他の各棒材２８，２８の下端部を、上記したように盛土３の下部側３Ｌに埋設した各棒材２８の上端部に連結材２９により連結させて、それぞれ自立させる。
【００７８】
そして、図１で示すように、前記した下排水材８（Ｌ）による組み合わせ体３９を形成したことと同様に、上排水材８（Ｕ）と左右柱材１０，１０の他の各棒材２８との他の組み合わせ体４０を上記組み合わせ体３９上に立設させる。
【００７９】
そして、上記組み合わせ体３９の上部側と、この組み合わせ体３９上に立設された上記他の組み合わせ体４０の下部側とを盛土３の上部側３Ｕに埋設して、上記他の組み合わせ体４０を上記盛土３の上部側３Ｕ上に自立させる。この場合、上記他の組み合わせ体４０の上排水材８（Ｕ）の下端縁部は、これを埋設する上記盛土３の上部側３Ｕからの土圧により、下排水材８（Ｌ）の上端縁部の上面の所定位置から位置ずれしようとする。しかし、この位置ずれは、前記したように、上排水材８（Ｕ）の下部側が、上記左右柱材１０，１０の各棒材２８の上端部側で挟まれる作用と、上記連結具９の上側凹部２４に嵌入させられる作用との少なくともいずれか一方の作用により防止される。
【００８０】
また、上記したように、組み合わせ体３９の上部側と、この組み合わせ体３９上に立設された上記他の組み合わせ体４０の下部側とを盛土３の上部側３Ｕに埋設しようとするときや、埋設後には、上記組み合わせ体３９の下排水材８（Ｌ）の上端縁部と上記他の組み合わせ体４０の上排水材８（Ｕ）の下端縁部との間に、盛土３の上部側３Ｕの土砂が入り込んで目詰りが発生するおそれがある。
【００８１】
しかし、上記上、下排水材８（Ｕ），８（Ｌ）の間への土砂の入り込みは、上記各カバーシート１９によって防止されて、目詰りの発生が防止される。よって、上記上、下排水材８（Ｕ），８（Ｌ）による地盤１の排水性が良好に維持される。
【００８２】
次に、上記上排水材８（Ｕ）を前記下排水材８（Ｌ）と見なして、この下排水材８（Ｌ）の上端縁部の上面に他の上排水材８を立設し、以下、前記したのと同様に、各排水材８を盛土３に順次埋設すれば、上記地盤排水構造の施工作業が終了する。
【００８３】
そして、上記地盤排水構造の施工方法によれば、上、下排水材８（Ｕ），８（Ｌ）が互いに精度よく地盤１内に埋設されることから、雨天時など、上記地盤１内にその外部から水Ｗが浸入してきた場合には、この水Ｗは上記上、下排水材８（Ｕ），８（Ｌ）の内部を順次流下することにより地盤１の外部に排水される。これにより、上記地盤１は、所望の含水量に維持されて、所定強度に保持される。
【００８４】
以下の図６は、本発明についての参考例２を示し、図７，８は、本発明の実施例１，２を示している。これら各参考例および実施例は、前記参考例１と構成、作用効果において多くの点で共通している。そこで、これら共通するものについては、図面に共通の符号を付してその重複した説明を省略し、異なる点につき主に説明する。また、これら各参考例および実施例における各部分の構成を、本発明の目的、作用効果に照らして種々組み合せてもよい。
（参考例２）
【００８５】
本発明をより詳細に説明するために、その参考例２を添付の図６に従って説明する。
【００８６】
図６において、上記下排水材８（Ｌ）の下端縁部は、上記排水基材７を介し地盤基部２の上面に設置された左右一対のアングルである型鋼４２，４２に挟まれている。また、上記各型鋼４２は上記排水基材７の上面に接着テープ４４により接着され、また、上記左右柱材１０，１０の下端部は上記各型鋼４２に他の接着テープ４５により接着されている。また、前記係止具３５は、接着テープで構成されている。
【実施例１】
【００８７】
本発明をより詳細に説明するために、その実施例１を添付の図７に従って説明する。
【００８８】
図７において、前記接着テープ１８は、両面テープもしくは面ファスナーとされて、上記各排水シート１４の端縁部と端縁部保護材１７との間に介設され、これら１４，１７は、上記接着テープ１８により互いに連結されている。
【００８９】
一方、上記下排水材８（Ｌ）の上端縁部に掛止され、この下排水材８（Ｌ）の上端よりも低位置で上記左右柱材１０，１０の上下方向の各中途部をそれぞれ係止させる係止具３５が設けられる。具体的には、前記連結具９の各側板２２の下端部から前記係止具３５がそれぞれ側方に向かって突設され、つまり、上記連結具９と係止具３５とが一体的に形成されている。
【００９０】
そして、上記構成によれば、上記係止具３５により、上記左右柱材１０，１０は上記下排水材８（Ｌ）を挟むようにして互いに連結されることから、これら下排水材８（Ｌ）と左右柱材１０，１０との互いの連結が強固となる。よって、上記下排水材８（Ｌ）と左右柱材１０，１０との組み合わせ体３９の下部側を盛土３に埋設するとき、この埋設は安定してすることができ、その分、上記地盤排水構造の施工作業が、更に容易にできる。
【００９１】
そして、その後、前記したように下排水材８（Ｌ）の上端縁部の上面に上排水材８（Ｕ）を立設し、この上排水材８（Ｕ）から延出した左右一対のカバーシート１９，１９により上記下排水材８（Ｌ）の上端縁部と連結具９とを、それぞれ左右各側方から覆うとき、このような各カバーシート１９の被覆動作に対し前記係止具３５が邪魔になることは防止される。よって、上記左右柱材１０，１０の各棒材２８の上端部から上記係止具３５を離脱させる作業はしないで済むことから、上記地盤排水構造の施工作業は更に容易にできる。
【実施例２】
【００９２】
本発明をより詳細に説明するために、その実施例２を添付の図８に従って説明する。
【００９３】
図８（ａ）において，連結具９は、一枚の板材からの切り起こしにより、各側板２２と連結板２３とが形成され、これにより、簡単な構成の連結具９が得られる。また、左右側板２２，２２のうち、一方の側板２２の上、下端縁部にはそれぞれ外向きフランジ４７が形成され、これら各外向きフランジ４７には貫通孔４８が形成されている。なお、これら外向きフランジ４７や貫通孔４８は無くてもよい。
【００９４】
図８（ｂ）において、上記連結具９の左右側板２２，２２のうち、一方の側板２２は、上記（ａ）のものと同構成であるが、他方の側板２２は、前後一対の板ばねで形成されている。
【００９５】
このため、上記各凹部２４，２５に嵌入された下排水材８（Ｌ）の上端縁部と上排水材８（Ｕ）の下端縁部とは、上記左右側板２２，２２により、それぞれ弾性的に挟み付けられて、がたつきの発生が、より確実に防止される。
【００９６】
図８（ｃ）において、連結具９は、上記（ｂ）のものとほぼ同構成であるが前後一対の板ばねが一体的に形成されている。
【符号の説明】
【００９７】
１    地盤
２    地盤基部
３    盛土
３Ｕ  上部側
３Ｌ  下部側
４    地盤補強材
７    排水基材
８    排水材
８（Ｕ）  上排水材
８（Ｌ）  下排水材
９    連結具
１０  柱材
１３  排水材本体
１４  排水シート
１７  端縁部保護材
１８  接着テープ
１９  カバーシート
２４  凹部
２８  棒材
２９  連結材
３５  係止具
３６  接着テープ
３９  組み合わせ体
４０  他の組み合わせ体
Ｐ    間隔
Ｗ    水
【図１】
0005656251.tif 000002
【図２】
0005656251.tif 000003
【図３】
0005656251.tif 000004
【図４】
0005656251.tif 000005
【図５】
0005656251.tif 000006
【図６】
0005656251.tif 000007
【図７】
0005656251.tif 000008
【図８】
0005656251.tif 000009